(57)【要約】      （修正有）【課題】インテリアとして好適に使用することができる有機ＥＬ照明装置を提供する。【解決手段】少なくとも３枚の板状の有機ＥＬパネルと、縦軸線Ｘに対して幅方向が放射方向を向くように配置される有機ＥＬパネルを保持する保持体Ｒと、を備え、有機ＥＬパネルのそれぞれは、略同一の大きさの矩形状に構成され、保持体は、有機ＥＬパネルをそれぞれ上方から挿入して収容可能な上方開放型で外形が矩形状の枠体１…を一体化して構成されている。【選択図】図１
0003210913.tif 000002
【実用新案登録請求の範囲】
【請求項１】
少なくとも３枚の板状の有機ＥＬパネルと、縦軸線に対して幅方向が放射方向を向くように配置される前記３枚の有機ＥＬパネルを保持する保持体と、を備えていることを特徴とする有機ＥＬ照明装置。
【請求項２】
前記３枚の有機ＥＬパネルのそれぞれは、略同一の大きさの矩形状に構成され、前記保持体が、該３枚の有機ＥＬパネルをそれぞれ上方から挿入して収容可能な上方開放型で外形が矩形状の３つの枠体を一体化して構成されていることを特徴とする請求項１に記載の有機ＥＬ照明装置。
【請求項３】
前記３つの枠体が、周方向で略等間隔に位置するように配置されていることを特徴とする請求項１又は２に記載の有機ＥＬ照明装置。
【請求項４】
前記各有機ＥＬパネルが、縦軸線側端の上下方向中央を中心とする半径で描かれる略半円状に発光するように構成されていることを特徴とする請求項２又は３に記載の有機ＥＬ照明装置。
【考案の詳細な説明】
【技術分野】
【０００１】
本考案は、有機ＥＬ素子を有する有機ＥＬパネルを備えた有機ＥＬ照明装置に関する。
【背景技術】
【０００２】
一般的に、有機ＥＬパネルを構成する自発光型の有機ＥＬ素子は、ＥＬ（エレクトロルミネッセンス）現象を利用しているので、発熱が少なく、また、薄型で軽量である。また、有機ＥＬ素子は、無機ＥＬ素子に比較して色の選択が容易で、駆動電圧が低くて省電力である等、種々の利点を有している。
【０００３】
上記有機ＥＬ素子を有する有機ＥＬ照明装置としては、有機ＥＬパネルを面方向に多数配置して平板状の照明装置に構成されたものが既に提案されている。そして、有機ＥＬ照明装置を天井に吊下げて複数枚の有機ＥＬパネルから下方へ向けて発光するように構成されている（例えば、特許文献１参照）。
【先行技術文献】
【特許文献】
【０００４】
【特許文献１】特開２０１５−１３８７５８号公報
【考案の概要】
【考案が解決しようとする課題】
【０００５】
上記特許文献１の有機ＥＬ照明装置は、同一面に多数の有機ＥＬパネルを配置してなる一般的で単調な照明装置であり、近年においてインテリアとして好ましい照明装置が要望されている。
【０００６】
そこで、本考案は、かかる事情に鑑みてなされたもので、インテリアとして好適に使用することができる有機ＥＬ照明装置を提供することを課題とする。
【課題を解決するための手段】
【０００７】
本考案に係る有機ＥＬ照明装置は、少なくとも３枚の板状の有機ＥＬパネルと、縦軸線に対して幅方向が放射方向を向くように配置される前記３枚の有機ＥＬパネルを保持する保持体と、を備えていることを特徴とする。
【０００８】
本考案によれば、縦軸線に対して幅方向が放射方向を向くように配置される３枚の有機ＥＬパネルが保持体で保持されているので、周方向で隣り合う有機ＥＬパネルから発する光の照らす角度を異ならせることができる。これにより、同一方向を照らす板状の照明装置に比べて、インテリアとして好適に使用することができる。また、有機ＥＬパネルは薄型で軽量化を図ることができるため、取り扱い面において有利になる。
【０００９】
また、本考案に有機ＥＬ照明装置は、前記３枚の有機ＥＬパネルのそれぞれは、略同一の大きさの矩形状に構成され、前記保持体が、該３枚の有機ＥＬパネルをそれぞれ上方から挿入して収容可能な上方開放型で外形が矩形状の３つの枠体を一体化して構成されていてもよい。
【００１０】
上記のように、３つの枠体に３つの有機ＥＬパネルをそれぞれ上方から挿入するだけで、３つの有機ＥＬパネルを直ちに装着することができる。
【００１１】
また、本考案に係る有機ＥＬ照明装置は、前記３つの枠体が、周方向で略等間隔に位置するように配置されていてもよい。
【００１２】
上記のように、３つの枠体が、周方向で略等間隔に位置するようにバランスよく配置されることにより、例えば有機ＥＬ照明装置を天井から吊り下げた場合に、安定姿勢を保持し易い。
【００１３】
また、本考案に係る有機ＥＬ照明装置は、前記各有機ＥＬパネルが、縦軸線側端の上下方向中央を中心とする半径で描かれる略半円状に発光するように構成されていてもよい。
【００１４】
上記のように、各有機ＥＬパネルが、縦軸線側端の上下方向中央を中心とする半径で描かれる略半円状に発光するように構成されることによって、周方向であたかも球状体が光っているように見え、より一層インテリアとして好適に使用することができる。
【考案の効果】
【００１５】
以上の如く、本考案によれば、少なくとも３枚の有機ＥＬパネルが放射状に配置されているので、周方向で隣り合う有機ＥＬパネルから発する光の照らす角度を異ならせることができ、インテリアとして好適に使用することができる有機ＥＬ照明装置を提供することができる。
【図面の簡単な説明】
【００１６】
【図１】本考案の有機ＥＬ照明装置を吊り下げた状態を示す正面図である。
【図２】同有機ＥＬ照明装置の平面図である。
【図３】同有機ＥＬ照明装置の要部の縦断面図である。
【図４】同有機ＥＬ照明装置を構成する有機ＥＬパネルを収容する枠体の縦断面図である。
【図５】同有機ＥＬ照明装置を構成する有機ＥＬパネルを収容する枠体を厚み方向で切断した縦断面図である。
【図６】他の有機ＥＬ照明装置を吊り下げた状態を示す正面図である。
【図７】図６の有機ＥＬ照明装置の平面図である。
【図８】他の有機ＥＬ照明装置の平面図である。
【図９】他の有機ＥＬ照明装置の平面図である。
【考案を実施するための形態】
【００１７】
以下、本考案に係る有機ＥＬ照明装置の一実施形態について、図面に基づいて説明する。
【００１８】
有機ＥＬ照明装置は、図１及び図２に示すように、３枚以上（ここでは８枚）の板状の有機ＥＬパネルＰ１〜Ｐ８と、縦軸線Ｘに対して幅方向が放射方向を向くように配置される３枚の有機ＥＬパネルＰ１〜Ｐ８を保持する保持体Ｒと、を備えている。このように、８枚の有機ＥＬパネルＰ１〜Ｐ８が縦軸線Ｘに対して放射状に配置されることによって、周方向で隣り合う有機ＥＬパネルから発する光の照らす角度を異ならせることができる。これにより、同一方向を照らす板状の照明装置に比べて、インテリアとして好適に使用することができる。また、有機ＥＬパネルは薄型で軽量化を図ることができるため、取り扱い面において有利になる。
【００１９】
有機ＥＬパネルＰ１〜Ｐ８は、自発光型の有機ＥＬ素子を有している。この有機ＥＬ素子は、一般的に、透明な基板面にＩＴＯ等からなる透明電極が例えばスパッタリング法により形成される。その上に有機材料による発光機能層、及びアルミニウム等の素材を主体とした金属製の背面電極が例えば真空蒸着法を利用して成形される。
【００２０】
上記構成による有機ＥＬ素子は、発光機能層からの光が透明電極及び透明素材による基板を介して外部に導出されるように構成されている。また、有機ＥＬ素子の発光色は、白色の他、発光機能層の材料を選択することで好みの各種の発光色にすることができる。
【００２１】
８枚の有機ＥＬパネルＰ１〜Ｐ８のそれぞれは、略同一の大きさの縦長の長方形状（又は正方形状でもよい）に構成され、長手方向が上下方向に沿った状態で縦軸線Ｘに対して幅方向（短手方向）が放射方向に向くように配置される。
【００２２】
保持体Ｒは、複数枚の金属板から構成され、８枚の有機ＥＬパネルＰ１〜Ｐ８をそれぞれ上方から挿入して収容可能な上方開放型で外形が矩形状（略長方形状）の８つの枠体１〜８を一体化して構成されている。各枠体１…は、同一構成であるため、特定の枠体３についてのみ説明する。この枠体３は、図１〜図５に示すように、有機ＥＬパネルＰ３の厚み方向両側に対向して位置する一対の第１枠部３Ａ，３Ｂと、第１枠部３Ａ，３Ｂの下端同士を連結する長方形状で板状の第２枠部３Ｃと、第１枠部３Ａ，３Ｂの左右方向両端部同士をそれぞれ連結する長方形状で板状の第３枠部３Ｄ及び第４枠部３Ｅと、を備えている。第１枠部３Ａ，３Ｂには、有機ＥＬパネルＰ１…の発光面を露出する大きな略長方形状の開口３ａ，３ｂが形成されている。尚、第１枠部３Ａ，３Ｂの開口３ａ，３ｂを、透明な略長方形状の板部材で閉じるようにしてもよい。このように、上方開放型の枠体３（他の枠体も同様）に構成することによって、全ての有機ＥＬパネルＰ１〜Ｐ８を枠体１〜８の上方からそれぞれ挿入するだけで、有機ＥＬパネルＰ１〜Ｐ８を直ちに装着することができる。尚、図４では、有機ＥＬパネルＰ３が実際に発光する半円状の発光領域Ｈ３を示している。
【００２３】
また、枠体１…は、周方向で略等間隔に位置するように配置されており、全ての枠体１…が、周方向で略等間隔に位置するようにバランスよく配置されることにより、例えば有機ＥＬ照明装置を天井から吊り下げた場合に、安定姿勢を保持し易い。
【００２４】
図２及び図３に示すように、８つの枠体１〜８の幅方向（短手方向）一端のそれぞれを、上下一対の金属製の円板部材９，１０の外周面に溶接により固定して一体化されている。上側の円板部材９の中心部に後述するワイヤー１１を通すための貫通孔９ａ（図２参照）が形成されている。
【００２５】
枠体１〜８には、挿入される有機ＥＬパネルＰ１〜Ｐ８に備える正負の電極（図示せず）が接続される一対の端子板（図示せず）を備えている。従って、有機ＥＬパネルＰ１〜Ｐ８を枠体１〜８にそれぞれ挿入するだけで、図示しない電力供給部からの電力供給により、有機ＥＬパネルＰ１〜Ｐ８を発光させるように構成している。
【００２６】
全ての有機ＥＬパネルＰ１〜Ｐ８の全面を発光するように構成してもよいし、図１に示すように、各有機ＥＬパネルＰ１…が、縦軸線側端の上下方向中央を中心とする半径で描かれる略半円状に発光するように構成されていてもよい。図１では、略半円状の発光像Ｓ２，Ｓ３，Ｓ７，Ｓ８（特定の有機ＥＬパネルＰ２，Ｐ３，Ｐ７，Ｐ８から発光している発光像）を示している。このように、各有機ＥＬパネルＰ１…が、縦軸線側端の上下方向中央を中心とする半径で描かれる略半円状に発光するように構成されることによって、有機ＥＬ照明装置を見た時に、周方向であたかも球状体が光っているように見え、より一層インテリアとして好適に使用することができる。
【００２７】
また、各有機ＥＬパネルＰ１…が、発光状態と非発光状態とに切り換え自在に構成されている。このように、８枚の有機ＥＬパネルＰ１〜Ｐ８のうちの特定の有機ＥＬパネルを発光状態と非発光状態とに切り換えて使用することもできる。
【００２８】
このように構成された８枚の有機ＥＬパネルＰ１〜Ｐ８が保持された保持体Ｒを図１及び図３に示すように、ワイヤー機構により吊り下げて使用する場合が示されている。このワイヤー機構は、天井等に固定される固定部材１２に一端が固定されたワイヤー１１の他端を、円板部材９の貫通孔９ａ（図２参照）に挿通してからワイヤースリーブ１３に通した後、ワイヤースリーブ１３をかしめることによって、円板部材９からワイヤー１１の他端が抜けてしまうことを阻止することができる。固定部材１２は、天井等に固定される円板部材１２Ａと、円板部材１２Ａの上面に円形の縦壁を形成する円環状の縦板部材１２Ｂと、を備えている。
【００２９】
尚、本考案は、前記実施形態に限定されるものではなく、本考案の要旨を逸脱しない範囲で種々の変更が可能である。
【００３０】
前記実施形態では、８枚の有機ＥＬパネルＰ１〜Ｐ８を放射状に配置したが、図６及び図７に示すように、６枚の有機ＥＬパネルＰ１〜Ｐ６を放射状に配置してもよい。また、図８に示すように、４枚の有機ＥＬパネルＰ１〜Ｐ４を放射状に配置してもよい。また、図９に示すように、３枚の有機ＥＬパネルＰ１〜Ｐ３を放射状に配置してもよい。尚、図２、図７、図８、図９では、有機ＥＬパネルＰ１…を周方向で隣り合う間隔全てが周方向において等間隔になるように配置しているが、有機ＥＬパネルＰ１…を周方向で隣り合う間隔の一部又は全部が不等間隔になるように配置してもよい。尚、図６〜図９で説明しなかった部分は、前記実施形態と同一である。
【００３１】
また、前記実施形態では、８枚の有機ＥＬパネルＰ１〜Ｐ８の全てを半円形に点灯する構成にしたが、他の各種の形状に点灯するようにしてもよい。また、８枚の有機ＥＬパネルＰ１〜Ｐ８が点灯する形状を全て同一形状にしたが、点灯する形状を一部異なるようにする、又は全部異なるようにしてもよい。
【００３２】
また、前記実施形態では、保持体Ｒを、８つの枠体１〜８を上下一対の金属製の円板部材９，１０の外周面に溶接したものから構成したが、合成樹脂で８つの枠体が一体化された状態で成形される構成であってもよい。この場合、透明な合成樹脂で構成すれば、上方のみが開放される箱型の枠体にすることができる。また、有機ＥＬパネルＰ１…を上方から挿入するように枠体を構成する他、水平方向又は下方から有機ＥＬパネルＰ１…を挿入し、挿入された有機ＥＬパネルＰ１…が枠体から離脱しないように保持する保持手段を備えていてもよい。
【００３３】
また、前記実施形態では、８つの枠体１〜８の幅方向一端を上下一対の円板部材９，１０に溶接により固定して８つの枠体１〜８を一体化したが、８つの枠体１〜８の幅方向一端同士を直接溶接することにより８つの枠体１〜８を一体化してもよい。
【００３４】
また、前記実施形態では、有機ＥＬパネルＰ１…を矩形状に構成したが、半円形状や小判状あるいは三角形状等、どのような形状に構成してもよい。この有機ＥＬパネルＰ１…の形状に合わせて枠体１…の形状も変更することになる。
【００３５】
また、前記実施形態では、吊下げて使用する吊下げ式の有機ＥＬ照明装置を構成したが、ベッドの脇においてベッドサイドランプとして使用することができるように据え置き式の有機ＥＬ照明装置を構成してもよい。
【符号の説明】
【００３６】
１〜８…枠体、３Ａ，３Ｂ…第１枠部、３Ｃ…第２枠部、３Ｄ…第３枠部、３Ｅ…第４枠部、３ａ，３ｂ…開口、９，１０…円板部材、９ａ…貫通孔、１１…ワイヤー、１２…固定部材、１２Ａ…円板部材、１２Ｂ…縦板部材、１３…ワイヤースリーブ、Ｈ３…発光領域、Ｐ１〜Ｐ８…有機ＥＬパネル、Ｒ…保持体、Ｓ２，Ｓ３，Ｓ７，Ｓ８…発光像、Ｘ…縦軸線
【図１】
0003210913.tif 000003
【図２】
0003210913.tif 000004
【図３】
0003210913.tif 000005
【図４】
0003210913.tif 000006
【図５】
0003210913.tif 000007
【図６】
0003210913.tif 000008
【図７】
0003210913.tif 000009
【図８】
0003210913.tif 000010
【図９】
0003210913.tif 000011
【手続補正書】
【提出日】平成29年4月5日(2017.4.5)
【手続補正１】
【補正対象書類名】実用新案登録請求の範囲
【補正対象項目名】請求項３
【補正方法】変更
【補正の内容】
【請求項３】
前記３つの枠体が、周方向で略等間隔に位置するように配置されていることを特徴とする請求項２に記載の有機ＥＬ照明装置。